(57)【要約】【課題】ノーマリーオープン方式とノーマリークローズ方式の両方の作動が行えるデジタルスチルカメラ用のフォーカルプレンシャッタを提供すること。【解決手段】先羽根は、二つのアーム１１，１２と、それらに枢支された３枚の羽根１３〜１５で構成され、アーム１１は、一方では、先羽根用駆動部材８が駆動ばねの付勢力で回転するときだけ、被押動部１１ａを駆動ピン８ｂに押されて時計方向へ回転し、他方では、モータ２１が往復回転するとき、長孔１１ｂに嵌合している出力ピン２１ｇによって往復回転させられる。後羽根は、二つのアーム１６，１７と、それらに枢支された３枚の羽根１８〜２０で構成され、アーム１６は、後羽根用駆動部材９が往復回転するとき、長孔に嵌合している駆動ピン９ｂによって往復回転させられる。先羽根に対する先羽根用駆動部材８とモータ２１による駆動順序を変えることによって、二つの作動方式の一方を選択可能になっている。【選択図】　図１
2004061865.tif 000002
【特許請求の範囲】
【請求項１】
撮影光路用の開口部を有している第１地板と、撮影光路用の開口部を有していて前記第１地板との間に羽根室を構成している第２地板と、前記二つの地板の一方に枢着された複数のアームとそれらに枢支された１枚以上の羽根とで構成されており前記羽根室内において前記撮影光路から退いている第１位置と前記撮影光路を覆っている第２位置との間で往復作動するシャッタ羽根と、前記羽根室外において前記第１地板に取り付けられており駆動ばねの付勢力によって作動するときだけ前記アームのうちの一つを押して前記シャッタ羽根を第１の方向へ作動させる駆動部材と、前記羽根室外において前記第２地板に取り付けられており回転子の往復回転に対応し前記アームのうちの一つを介して前記シャッタ羽根を前記第１の方向と第２の方向へ作動させるモータと、前記羽根室外において前記第１地板に取り付けられており初期位置から作動することによって前記駆動ばねの付勢力に抗し前記駆動部材をセット位置まで作動させるセット部材と、少なくとも前記セット部材が初期位置へ復帰作動を行うときには前記駆動部材をセット位置で保持しており前記シャッタ羽根を前記駆動ばねの付勢力によって作動させるときその保持力を解除する保持手段と、を備えていることを特徴とするデジタルスチルカメラ用フォーカルプレンシャッタ。
【請求項２】
前記駆動部材によって作動させられるアームと、前記モータによって作動させられるアームとが、同じアームであることを特徴とする請求項１に記載のデジタルスチルカメラ用フォーカルプレンシャッタ。
【請求項３】
前記シャッタ羽根が、前記第２の方向へ作動させられる時から、第２位置に達し所定時間が経過するまで、前記第２の方向への付勢力を維持するように、前記モータに通電し続けるようにしたことを特徴とする請求項１又は２に記載のデジタルスチルカメラ用フォーカルプレンシャッタ。
【請求項４】
前記シャッタ羽根が、前記第１の方向へ作動させられた後から、少なくとも該シャッタ羽根がストッパに当接して第１位置で停止するまでの間、同方向への付勢力を維持するように、前記モータに通電するようにしたことを特徴とする請求項１又は２に記載のデジタルスチルカメラ用フォーカルプレンシャッタ。
【請求項５】
撮影光路用の開口部を有していて前記第１地板と第２地板との間を仕切って二つの羽根室を構成しその一方の羽根室内に前記シャッタ羽根を配置させる中間板と、前記二つの地板の一方に枢着された複数のアームとそれらに枢支された１枚以上の羽根とで構成されており前記二つの羽根室のうち他方の羽根室内において前記撮影光路を覆っている第１位置と前記撮影光路から退いている第２位置との間で往復作動する第２シャッタ羽根と、前記羽根室外において前記第１地板に取り付けられており第２駆動ばねの付勢力によって作動させられるときは前記第２シャッタ羽根を第１の方向へ作動させ前記セット部材によって該第２駆動ばねの付勢力に抗してセット位置まで作動させられるときには前記第２シャッタ羽根を第２の方向へ作動させる第２駆動部材と、少なくとも前記セット部材が初期位置へ復帰作動を行うときには前記第２駆動部材をセット位置で保持しており前記第２シャッタ羽根を前記第２駆動ばねの付勢力によって作動させるときその保持力を解除する第２保持手段と、を備えていることを特徴とする請求項１乃至４の何れかに記載のデジタルスチルカメラ用フォーカルプレンシャッタ。
【発明の詳細な説明】
【０００１】
【発明の属する技術分野】
本発明は、デジタルスチルカメラ用のフォーカルプレンシャッタに関する。
【０００２】
【従来の技術】
デジタルスチルカメラ用のフォーカルプレンシャッタの中には、シャッタ地板と補助地板の間を中間板で仕切って二つの羽根室を構成し、それらの羽根室に、先羽根，後羽根などと称されている二つのシャッタ羽根を個別に配置し、撮影に際しては、それらのシャッタ羽根によって形成されるスリットが、方形をした撮像面を連続的に露光していくようにしたものが知られている。また、デジタルスチルカメラの中には、光学ファインダだけを備えたもの、電子ファインダ（モニターをファインダとしたもの）だけを備えたもの、それらの両方を備えたものがある。そのため、この種のシャッタにおいては、その作動方式の違いによって、ノーマリーオープン方式のものと、ノーマリークローズ方式のものとがあり、その方式の違いにより構成も異なっている。
【０００３】
また、デジタルスチルカメラ用のフォーカルプレンシャッタの中には、シャッタ地板と補助地板の間に一つの羽根室を構成し、その羽根室に一つのシャッタ羽根を配置したものがある。そして、この種のシャッタには、撮影のための露光時間終了後に、シャッタ羽根によって単に撮影光路を一時的に閉鎖するようにしたものと、シャッタ羽根の閉鎖作動によって撮影のための露光時間を終了させるようにしたものとがある。そして、それらの何れの場合にも、上記のようなノーマリーオープン方式のものと、ノーマリークローズ方式のものとがあり、通常の場合、その方式の違いによって構成も異なっている。
【０００４】
そして、上記のように、シャッタ羽根を二つ備えているフォーカルプレンシャッタであっても、一つしか備えていないフォーカルプレンシャッタであっても、個々のシャッタ羽根は実質的に同じ構成をしており、シャッタ地板に枢着された複数のアームと、それらのアームの夫々に枢支された１枚以上の羽根とで構成され、アームが所定の角度範囲で往復回転させられると、羽根が、撮影光路を閉鎖する位置と、その光路から退いた位置との間を作動するようになっている。
【０００５】
【発明が解決しようとする課題】
ところで、上記のように、二つのシャッタ羽根を備えた形式のフォーカルプレンシャッタであっても、また、一つのシャッタ羽根しか備えていない形式のフォーカルプレンシャッタであっても、その作動方式が、ノーマリーオープン方式であるか、ノーマリークローズ方式であるかによって、異なる構成のものを製作しなければならないということは、カメラの開発上からもシャッタの製作上からも、決して好ましいとは言えない。そこで、構成が同じであって、いずれの作動方式を採用するカメラにも採用することのできるフォーカルプレンシャッタの出現が要求されている。更に、撮影者が、ノーマリーオープン方式での撮影と、ノーマリークローズ方式での撮影とを選択して行えるカメラが開発できるという点からも、そのようなフォーカルプレンシャッタの出現が要求されている。
【０００６】
本発明は、このような問題点を解決するためになされたものであり、その目的とするところは、同じ構成でありながら、ノーマリーオープン方式での作動も行わせることが可能であるし、ノーマリークローズ方式での作動も行わせることの可能なデジタルスチルカメラ用のフォーカルプレンシャッタを提供することである。
【０００７】
【課題を解決するための手段】
上記の目的を達成するために、本発明のデジタルスチルカメラ用フォーカルプレンシャッタは、撮影光路用の開口部を有している第１地板と、撮影光路用の開口部を有していて前記第１地板との間に羽根室を構成している第２地板と、前記二つの地板の一方に枢着された複数のアームとそれらに枢支された１枚以上の羽根とで構成されており前記羽根室内において前記撮影光路から退いている第１位置と前記撮影光路を覆っている第２位置との間で往復作動するシャッタ羽根と、前記羽根室外において前記第１地板に取り付けられており駆動ばねの付勢力によって作動するときだけ前記アームのうちの一つを押して前記シャッタ羽根を第１の方向へ作動させる駆動部材と、前記羽根室外において前記第２地板に取り付けられており回転子の往復回転に対応し前記アームのうちの一つを介して前記シャッタ羽根を前記第１の方向と第２の方向へ作動させるモータと、前記羽根室外において前記第１地板に取り付けられており初期位置から作動することによって前記駆動ばねの付勢力に抗し前記駆動部材をセット位置まで作動させるセット部材と、少なくとも前記セット部材が初期位置へ復帰作動を行うときには前記駆動部材をセット位置で保持しており前記シャッタ羽根を前記駆動ばねの付勢力によって作動させるときその保持力を解除する保持手段と、を備えているようにする。その場合、前記駆動部材によって作動させられるアームと、前記モータによって作動させられるアームとが、同じアームであるようにすると、好適な構成となる。
【０００８】
また、本発明におけるデジタルスチルカメラ用フォーカルプレンシャッタにおいては、前記シャッタ羽根が、前記第２の方向へ作動させられる時から、第２位置に達し所定時間が経過するまで、前記第２の方向への付勢力を維持するように、前記モータに通電し続けるようにすると、前記シャッタ羽根の第２位置でのバウンドを防止することができるし、その通電を、前記シャッタ羽根が前記第１の方向へ作動し第１位置へ達する直前まで継続した場合には、前記シャッタ羽根の前記第１方向への作動が安定する。
【０００９】
また、本発明におけるデジタルスチルカメラ用フォーカルプレンシャッタにおいては、前記シャッタ羽根が、前記第１の方向へ作動させられた後から、少なくとも該シャッタ羽根がストッパに当接して第１位置で停止するまでの間、同方向への付勢力を維持するように、前記モータに通電するようにすると、前記シャッタ羽根の第１位置でのバウンドを防止することができる。
【００１０】
更に、本発明におけるデジタルスチルカメラ用フォーカルプレンシャッタは、撮影光路用の開口部を有していて前記第１地板と第２地板との間を仕切って二つの羽根室を構成しその一方の羽根室内に前記シャッタ羽根を配置させる中間板と、前記二つの地板の一方に枢着された複数のアームとそれらに枢支された１枚以上の羽根とで構成されており前記二つの羽根室のうち他方の羽根室内において前記撮影光路を覆っている第１位置と前記撮影光路から退いている第２位置との間で往復作動する第２シャッタ羽根と、前記羽根室外において前記第１地板に取り付けられており第２駆動ばねの付勢力によって作動させられるときは前記第２シャッタ羽根を第１の方向へ作動させ前記セット部材によって該第２駆動ばねの付勢力に抗してセット位置まで作動させられるときには前記第２シャッタ羽根を第２の方向へ作動させる第２駆動部材と、少なくとも前記セット部材が初期位置へ復帰作動を行うときには前記第２駆動部材をセット位置で保持しており前記第２シャッタ羽根を前記第２駆動ばねの付勢力によって作動させるときその保持力を解除する第２保持手段と、を備えているようにしてもよい。
【００１１】
【発明の実施の形態】
本発明の実施の形態を、図示した二つの実施例によって説明する。それらの実施例は、いずれも、ノーマリーオープン方式で作動させることも、ノーマリークローズ方式で作動させることも可能な構成になっている。そのため、ノーマリーオープン方式でしか撮影することができないカメラにも、ノーマリークローズ方式でしか撮影することができないカメラにも、ノーマリーオープン方式とノーマリークローズ方式を選択して撮影することができるカメラにも採用することが可能である。尚、図１〜図８は第１実施例を説明するためのものであり、図９〜図１２は第２実施例を説明するためのものであるが、その構成を説明するにあたっては、原則として、カメラに組み込まれた状態において、撮影レンズ側を表面側と称し、撮像素子側を背面側と称することにする。
【００１２】
［第１実施例］
第１実施例を図１〜図８を用いて説明する。そのうち、図１〜図６は、ノーマリーオープン方式で撮影する場合を説明するためのものであって、図１はセット状態を示した平面図であり、図２は図１の背面図であり、図３は撮影の初期段階で先羽根が露光作動開始位置へ作動する途中の状態を示した平面図であり、図４は先羽根が露光作動開始位置に達した状態を示した平面図であり、図５は露光作動を終了した直後の状態を示した平面図であり、図６は一連の電気的制御と二つのシャッタ羽根の作動との関係を示したタイミングチャートである。また、図７及び図８は、ノーマリークローズ方式で撮影する場合を説明するためのものであって、図７はセット状態を示した平面図であり、図８は一連の電気的制御と二つのシャッタ羽根の作動との関係を示したタイミングチャートである。尚、ノーマリークローズ方式で撮影する場合を説明する場合にも、図４と図５は引用される。
【００１３】
そこで、先ず、本実施例の構成を、図１及び図２を用いて説明する。図１に示すように、シャッタ地板１は、その略中央部に長方形を横長にした撮影光路用の開口部１ａを形成している。また、開口部１ａの左側には、円弧状の二つの長孔１ｂ，１ｃを形成していて、それらの下端部には、平面形状がＣ字状をしている周知のゴム製の緩衝部材２，３を取り付ている。更に、シャッタ地板１の表面側には、軸１ｄ，１ｅ、１ｆを立設し、背面側には、軸１ｇ，１ｈを立設しているが、それらのうち、軸１ｄ，１ｅは、シャッタ地板１を突き抜けて背面側にも立設された構成になっている。また、図示していないが、軸１ｄ，１ｅ，１ｆの先端には、周知の支持板が取り付けられていて、そのシャッタ地板１側の面には、先羽根用電磁石と後羽根用電磁石が取り付けられているが、図面を見やすくするために、図１においては、夫々の電磁石の鉄芯４，５だけを二点鎖線で示している。
【００１４】
シャッタ地板１には、その背面側に、所定の間隔を空けて、中間板６（周知であるため明示しておらず、その一部だけが図１，図２に示されている）と補助地板７が、図示していない適宜な手段によって、順に取り付けられており、シャッタ地板１と中間板６の間に後羽根の羽根室を構成し、中間板６と補助地板７との間に先羽根の羽根室を構成している。そして、それらの中間板６と補助地板７にも、シャッタ地板１の開口部１ａと重なる位置に、撮影光路用の開口部６ａ，７ａが形成されているが、周知のように、中間板６の開口部６ａの形状は、上辺と下辺が直線ではなく、山形に形成されている。また、図２に明示されている本実施例の補助地板７は、周知の補助地板の形状と若干異なるところがある。しかしながら、そのことについては、補助地板７に取り付けられている部材の構成と併せて、具体的に後述する。
【００１５】
シャッタ地板１の表面側における軸１ｄには、合成樹脂製の先羽根用駆動部材８が回転可能に取り付けられていて、図示していない周知の先羽根用駆動ばねによって、時計方向へ回転するように付勢されている。そして、この先羽根用駆動部材８は、被押動部８ａと、駆動ピン８ｂと、取付部８ｃとを有していて、駆動ピン８ｂは、シャッタ地板１の長孔１ｂを貫通して、羽根室内に突き出ている。また、取付部８ｃは、周知であるため図示していないが、その内部に、ばねを介在させて鉄片部材を取り付けている。その鉄片部材は、特開２００２−５５３７９号公報にも記載されているように、図示していない上記の支持板に取り付けられた先羽根用電磁石の鉄芯４に吸着されるようになっており、それによって、先羽根用駆動部材８が、先羽根用駆動ばねの付勢力に抗して、作動開始位置に保持されるようになっている。
【００１６】
シャッタ地板１の表面側における軸１ｅには、合成樹脂製の後羽根用駆動部材９が回転可能に取り付けられていて、図示していない周知の後羽根用駆動ばねによって、時計方向へ回転するように付勢されている。そして、この後羽根用駆動部材９は、被押動部９ａと、駆動ピン９ｂと、取付部９ｃとを有していて、駆動ピン９ｂは、シャッタ地板１の長孔１ｃを貫通して、羽根室内に突き出ている。また、取付部９ｃは、上記の取付部８ｃに準じた形状をしていて、図示していないが、その内部には、上記の支持板に取り付けられた後羽根用電磁石の鉄芯５に吸着される鉄片部材が、ばねを介在させて取り付けられている。
【００１７】
シャッタ地板１の軸１ｆには、合成樹脂製のセット部材１０が回転可能に取り付けられている。このセット部材１０は、押動部１０ａ，１０ｂと、被押動部１０ｃとを有していて、押動部１０ａは先羽根用駆動部材８の被押動部８ａを押し、押動部１０ｂは後羽根用駆動部材９の被押動部９ａを押すようになっている。また、このセット部材１０は、図示していない復帰ばねによって、反時計方向へ回転するように付勢されているが、図１は、その付勢力に抗して初期位置から時計方向へ回転させられ、二つの駆動部材８，９を、夫々の駆動ばねの付勢力に抗して反時計方向へ回転させ、セット位置で停止した状態を示している。
【００１８】
次に、先羽根と後羽根の構成を説明する。先羽根は、上記したように、中間板６と補助地板７との間に配置されていて、夫々の一端を軸１ｄ，１ｇに枢着された二つのアーム１１，１２と、それらの先端に向けて順に枢支された３枚の羽根１３，１４，１５で構成されており、最先端に枢支された羽根１５をスリット形成羽根としている。そして、アーム１１には、凹状をした被押動部１１ａ（形状は図２の方が見やすい）と長孔１１ｂとが形成されていて、被押動部１１ａは、先羽根用駆動部材８の駆動ピン８ｂによって時計方向へ押され得るようになっている。そして、この先羽根は、アーム１１，１２が、最も補助地板７側に配置されており、中間板６に向けて羽根１５，羽根１４，羽根１３の順に配置されている。
【００１９】
他方、後羽根は、シャッタ地板１と中間板６の間に配置されていて、一端を軸１ｅ，１ｈに枢着された二つのアーム１６，１７と、それらの先端に向けて順に枢支された３枚の羽根１８，１９，２０で構成されており、それらの羽根のうち、アーム１６，１７の最先端に枢支された羽根２０がスリット形成羽根である。また、アーム１７に形成された周知の長孔には、後羽根用駆動部材９の駆動ピン９ｂが嵌合している。従って、後羽根は、そのアーム１６の形状が先羽根のアーム１１の形状と異なっているとはいえ、略同じ構成をしており、先羽根を裏返した状態となって羽根室内に配置されている。そのため、この後羽根の場合には、アーム１６，１７が、最もシャッタ地板１側にあって、中間板６に向けて羽根２０，羽根１９，羽根１８の順に配置されている。
【００２０】
次に、主に図２を用いて、補助地板７の具体的な形状と、そこに取り付けられている部材について説明する。補助地板７は、合成樹脂製であって、略中央部に上記の開口部７ａが形成されている。また、開口部７ａの右上方向に円弧状の長孔７ｂが形成されているが、この長孔７ｂは、シャッタ地板１に形成されている長孔１ｃに対応した形状をしていて、そこには駆動ピン９ｂの先端部が挿入されている。また、開口部７ａの右方向には四つの孔が形成されていて、それらにはシャッタ地板１の軸１ｄ，１ｅ，１ｇ，１ｈが挿入されている。
【００２１】
また、この補助地板７には、ムービングマグネット型モータと称されている電流制御式のモータ２１が、ビス２２，２３によって取り付けられている。このモータ２１は、永久磁石製の回転子が、固定子コイルへの通電方向に対応して、所定の角度範囲内において往復回転し得るように構成されており、これまでには主にレンズシャッタに採用されてきたが、フォーカルプレンシャッタに用いることについても、例えば特開２００１−１８８２８０号公報に開示されているなど、数々の提案がなされている。従って、この種のモータについては構成を具体的に説明するまでもないことであるが、図２に示されている範囲で、簡単に説明をしておく。
【００２２】
固定子は、籠型をした固定子枠２１ａと、その周囲に形成された溝に巻回されたコイル２１ｂと、そのコイル２１ｂを巻回したうえで固定子枠２１ａの外側に嵌合させた円筒状のヨーク２１ｃと、回転子２１ｄの周面と対向する位置に取り付けられた二つの鉄ピン２１ｅ，２１ｆで構成されている。また、永久磁石製の回転子２１ｄは、径方向に２極に着磁されていて、固定子枠２１ａに回転可能に軸受けされており、上記のコイル２１ｂは、それらの軸受け部を囲むように巻回されている。そして、この回転子２１ｄの径方向に張り出した部位には、回転子２１ｄの回転軸と平行に伸びた出力ピン２１ｇが設けられていて、固定子枠２１ａや補助地板７に形成されている図示していない孔を貫通し、羽根室内で上記したアーム１１の孔１１ｂに嵌合している。
【００２３】
次に、本実施例の作動を説明するが、上記したように、本実施例のフォーカルプレンシャッタは、ノーマリーオープン方式での撮影も行えるし、ノーマリークローズ方式での撮影も行える。そこで、先ず、図１〜図６を用いて、ノーマリーオープン方式で撮影を行う場合について説明する。図１は、そのようにノーマリーオープン方式で撮影する場合のセット状態を示したものであるが、このとき、セット部材１０は、図示していないカメラ本体側の部材によって、初期位置への復帰（反時計方向への回転）を抑止されている。そのため、先羽根用駆動部材８と後羽根用駆動部材９とは、図示していない先羽根用駆動ばねと後羽根用駆動ばねの付勢力による時計方向の回転を、セット部材１０の押動部１０ａ，１０ｂに抑止され、取付部８ｃ，９ｃに取り付けられた図示していない各々の鉄片部材を、先羽根用電磁石と後羽根用電磁石の鉄芯４，５に接触させている。
【００２４】
また、このとき、先羽根は、後述する理由によって、アーム１１が時計方向へ回転するように付勢されていて、被押動部１１ａと先羽根用駆動部材８の駆動ピン８ｂとは接触しておらず、大きく離れた状態となっている。そのため、先羽根の３枚の羽根１３〜１５は重畳状態となって開口部１ａの下方位置に格納されている。他方、後羽根は、アーム１６が後羽根用駆動部材９の駆動ピン９ｂに伴われて反時計方向へ回転させられた状態になっているため、３枚の羽根１８〜２０は重畳状態となって開口部１ａの上方位置に格納されている。従って、可動ミラーを備えた一眼レフカメラに採用されている場合は別として、その他の形式のカメラにおいては、カメラの電源をオンにすると、モニターによって被写体を観察できるようになっている。
【００２５】
周知のことではあるが、ここで、先羽根のアーム１１が、図１において時計方向へ回転するように付勢されている理由を説明する。図２に示すように、このセット状態においては、回転子２１ｄのＮ極の周面に鉄ピン２１ｅが対向し、Ｓ極の周面には鉄ピン２１ｆが対向している。しかしながら、Ｎ極の中央角度位置（磁極の境界線から９０°離れた位置）と鉄ピン２１ｅとの距離が、Ｓ極の中央角度位置と鉄ピン２１ｆとの距離より近いため、鉄ピン２１ｅとＮ極との間に作用する吸引力の方が勝っていて、回転子２１ｄには、図２において反時計方向へ回転する力が働いている。従って、コイル２１ｂに通電されていなくても、回転子２１ｄの出力ピン２１ｇと連結しているアーム１１は、図１において時計方向へ回転するように付勢されていることになるが、図示していないストッパの存在によって、その回転を阻止されている。
【００２６】
このようなセット状態において、カメラの電源をオンにしておき、撮影に際してカメラのレリーズボタンを押すと、図示していない先羽根用電磁石と後羽根用電磁石のコイルに通電され、同時に、モータ２１のコイル２１ｂにも正方向の電流が通電される。そのため、一方では、先羽根用駆動部材８と後羽根用駆動部材９に取り付けられた図示していない鉄片部材が、鉄芯４，５に吸着保持される。そこで、図示していないカメラ本体側の部材がセット部材１０の被押動部１０ｃから退いていくため、セット部材１０は、図示していない復帰ばねの付勢力によって初期位置へ復帰する。
【００２７】
また、他方では、図１においてモータ２１の回転子２１ｄが、反時計方向へ回転させられ、それによって、アーム１１も反時計方向へ回転させられる。従って、先羽根の３枚の羽根１３〜１５は、隣接する羽根同士の重なりを小さくしつつ上方へ作動し、撮影光路を覆っていくが、そのような作動の途中の状態が図３に示されている。そして、このときには、セット部材１０は、既に初期位置へ復帰し、図示していないストッパに当接して停止している。このようにして行われる先羽根の作動は、アーム１１の被押動部１１ａが先羽根用駆動部材８の駆動ピン８ｂに当接することによって停止させられると共に、３枚の羽根１３〜１５によって撮影光路が閉鎖される。そのときの状態が図４に示された状態であるが、図４においては、被押動部１１ａの符号付けが省略されている。
【００２８】
そして、このとき、モータ２１のコイル２１ｂに対する正方向の通電が断たれる。しかしながら、図６に示されているように、その断つ時機は、アーム１１が駆動ピン８ｂに当接する時機よりも所定時間遅れるようになっている。なぜなら、そのようにすると、アーム１１がその所定時間の間、反時計方向へ付勢されていて、先羽根のバウンドが抑制され、早期に安定状態が得られるからである。このようにして、その所定時間後にコイル２１ｂに対する正方向の通電が断たれても、回転子２１ｄは、その停止状態を保てるようになっている。その理由は、モータ２１の回転子２１ｄが、図１の状態から反時計方向へ回転されていて、図２に示した、Ｓ極の中央角度位置と鉄ピン２１ｆとの距離が、Ｎ極の中央角度位置と鉄ピン２１ｅとの距離より近くなっており、図４において、反時計方向へ回転するように付勢されているからである。
【００２９】
このように、図４の状態になってから所定時間後にモータ２１のコイル２１ｂに対する正方向の通電を断つと省電力化にとって有利である。そして、そのようにした場合には、次の撮影が行われるまで、コイル２１ｂには通電されることがない。しかしながら、図４の状態になってから所定時間後に、コイル２１ｂに対する正方向の通電を断たないようにしても一向に差し支えない。そのようにすると好都合なこともある。図６においては、図４の状態になってから所定時間後に、コイル２１ｂに対する正方向の通電を断つようにした原則的な制御を行う場合を実線で、断たないようにした特殊な制御を行う場合を一点鎖線で示しているが、以下においては、そのような特殊な制御を行った場合を前提にして、作動説明を続けることにする。但し、そのようにしても、本実施例の原則的な作動の理解には何の影響もない。
【００３０】
このようにして、図４に示された状態になった後、先ず、先羽根用電磁石に対する通電が断たれ、次に、後羽根用電磁石に対する通電が断たれて、先羽根と後羽根が相次いで作動を開始し、それらのスリット形成羽根１５の開放縁とスリット形成羽根２０閉鎖縁とによって形成されるスリットにより、撮像素子の受像面を露光していくことになる。そこで、先ず、先羽根用電磁石に対する通電が断たれると、鉄芯４による保持力が失われる。このとき、先羽根のアーム１１に対しては、モータ２１のコイル２１ｂに対して正方向の通電がされているので、回転子２１ｄによって、反時計方向へ回転する力が付与されているが、それよりも、先羽根用駆動部材８を時計方向へ回転させるように付勢している図示していない先羽根用駆動ばねの力が強いため、先羽根用駆動部材８は、その駆動ばねの付勢力によって時計方向へ回転し、駆動ピン８ｂによってアーム１１を時計方向へ回転させる。そのため、先羽根の３枚の羽根１３〜１５は、相互の重なりを大きくしつつ下方へ作動させられる。
【００３１】
周知のように、このとき、先羽根は、単純に下方へ作動するのではなく、薄くて大きな面積の羽根１３〜１５が開口部６ａ，７ａに面していて不安定な状態て作動させられることや、アーム１１，１２とスリット形成羽根１５を連結している二つの軸の頭部が補助地板７の開口部７ａの縁に当接することなどがあって、複雑な運動を伴いながら作動する。それに対して、後羽根のアーム１６の場合とは異なり、先羽根のアーム１１は、単に駆動ピン８ｂに対して接触しているだけであるから、その複雑な運動によって、駆動ピン８ｂから離れてしまうおそれがある。ところが、上記のように、モータ２１への正方向の通電が続いていると、アーム１１には反時計方向へ回転させる力が付与されているから、そのようなおそれは全くなく、安定した作動を続けさせることができる。
【００３２】
そして、その後、スリット形成羽根１５が、撮影光路から完全に退くのと同時又はその直前に、モータ２１のコイル２１ｂに対して、それまでとは逆方向への通電を行う。そのため、アーム１１には、時計方向へ回転する力が付与されるが、このときには、先羽根の速度が加速されて相当に速くなっているため、先羽根の作動にはその影響が実質的に現れない。そして、その直後には、先羽根用駆動部材８は、その駆動ピン８ｂが緩衝部材２に当接することによって停止させられる。
【００３３】
しかしながら、そのとき、先羽根用駆動部材８は、駆動ピン８ｂが緩衝部材２を強い力で圧縮させた後、緩衝部材２の弾力によって若干戻された状態になって停止することになる。そのため、駆動ピン８ｂが、緩衝部材２を最大に圧縮した時点では、アーム１１は、既に説明した図示していないストッパ（先羽根を図１の状態に保つために必要なストッパ）には未だ当接していない。なぜなら、その前に当接すると、そのストッパと駆動ピン８ｂに挟まれてアーム１１が変形させられ、先羽根が破壊されてしまう虞があるからである。尚、このストッパは、アーム１１が直接当接するストッパである必要はなく、モータ２１の出力ピン２１ｇが直接当接するストッパであっても、アーム１２や羽根１３〜１５が直接当接するストッパであっても構わないが、どのようにしても、同じ問題は必ず発生する。
【００３４】
従って、先羽根用駆動部材８が停止する際には、駆動ピン８ｂが緩衝部材２に当接する瞬間に、アーム１１が、駆動ピン８ｂから離れ、その直後にそのストッパに対して激しく当接することになる。そのため、アーム１１はその衝撃によって大きくバウンドさせられる。ところで、上記したように、駆動ピン８ｂは、緩衝部材２を圧縮させた後、若干戻って停止するため、駆動ピン８ｂとアーム１１とが停止した状態では、両者の間に無視し得ない程の間隙がある。そのため、アーム１１が上記のようにしてバウンドすると、その比較的余裕のある間隙内で激しくバウンドを繰り返すことになり、先羽根の破壊につながったり、設計仕様によっては、スリット形成羽根１５の先端を一時的に撮影光路内に進入させてしまったりするようになる。ところが、上記のようにして、先羽根の露光作動の最終段階において、コイル２１ｂに対して、回転子２１ｄを時計方向へ回転させるように逆方向の通電をしておくと、そのバウンドは好適に抑止される。そして、先羽根が停止した後、コイル２１ｂに対する通電が断たれる。
【００３５】
尚、上記においては、図１の状態から図４の状態になったあともコイル２１ｂに対して同じ通電状態を保ち、先羽根が露光作動を終了する直前になったとき、逆方向の通電をする場合で説明したが、必ずしもそのようにする必要はなく、図４の状態になったあとは、コイル２１ｂに対する通電を断ち、先羽根が露光作動を終了する直前になって、上記のようなバウンド防止のための逆方向の通電をしてもよいし、図４の状態になってもコイル２１ｂに対して同じ通電状態を保ち、上記のようなバウンド防止のための通電は行わないようにしても差し支えない。
【００３６】
先羽根の露光作動についての説明が長くなったが、上記のようにして、先羽根用電磁石に対する通電が断たれた後、所定時間後には、露光制御回路からの信号によって後羽根用電磁石の通電が断たれる。それによって、鉄芯５による保持力が失われるため、後羽根用駆動部材９は、図示していない後羽根用駆動ばねの付勢力によって時計方向へ回転し、駆動ピン９ｂによってアーム１６を時計方向へ回転させる。そのため、後羽根の３枚の羽根１８〜２０は、相互の重なりを小さくしつつ下方へ作動させられる。そして、後羽根用駆動部材９は、それらの羽根１８〜２０が撮影光路を完全に覆った直後に、駆動ピン９ｂが緩衝部材３に当接して停止し、後羽根の露光作動が終了する。図５は、このようにして、先羽根に続いて後羽根の露光作動が終了した直後の状態を示したものである。
【００３７】
このようにして撮影が終了すると、撮影光路が閉鎖された状態において、撮像情報が記憶装置に転送され、その直後にはセット作動が開始される。そして、そのセット作動は、セット部材１０が、その被押動部１０ｃを図示していないカメラ本体側の部材によって押され、図５に示された初期位置から、図示していない復帰ばねの付勢力に抗して、時計方向へ回転することによって行われる。セット部材１０が時計方向へ回転すると、先ず押動部１０ａによって、先羽根用駆動部材８の被押動部８ａを押し、図示していない先羽根用駆動ばねの付勢力に抗して、先羽根用駆動部材８を反時計方向へ回転させる。しかしながら、このときには、モータ２１のコイル２１ｂに電流が供給されていないが、既に説明した理由によって、回転子２１ｄは時計方向へ回転するように付勢されているため、アーム１１は駆動ピン８ｂに追従せず、図５の状態を保っている。
【００３８】
セット部材１０は、先羽根用駆動部材８を回転させ始めた直後に、今度は押動部１０ｂによって、後羽根用駆動部材９の被押動部９ａを押し、図示していない後羽根用駆動ばねの付勢力に抗して、後羽根用駆動部材９を反時計方向へ回転させる。そのため、アーム１６は、後羽根用駆動部材９の駆動ピン９ｂによって反時計方向へ回転させられ、後羽根の３枚の羽根１８〜２０は、相互の重なりを大きくしつつ上方へ作動させられる。そして、その後、後羽根の３枚の羽根１８〜２０は重畳状態となって開口部１ａの上方位置に格納され、各駆動部材８，９に取り付けられた図示していない鉄片部材が、夫々鉄芯４，５に接触させられると、図示していないカメラ本体側の部材によるセット部材１０の回転が停止し、セット作動が終了する。既に説明した図１は、そのようにして行われたセット作動の完了状態を示しれものである。
【００３９】
以上でノーマリーオープン方式での作動説明を終わり、次に、図７及び図８を用いて、ノーマリークローズ方式で撮影する場合の作動説明を行うが、その場合でも、作動過程の一部は同じになるので、上記のノーマリーオープン方式での作動説明に用いた一部の図面を適宜引用することにする。また、その同じ作動過程についての詳しい説明は、上記の説明に譲り、できるだけ簡略的に行うことにする。図７は、そのノーマリークローズ方式で撮影する場合のセット状態を示したものであるが、上記の図４の場合と同様に、アーム１１の被押動部１１ａに対する符号付けを省略してある。
【００４０】
図７において、先羽根用駆動部材８，後羽根用駆動部材９，セット部材１０は、上記の図１の場合と全く同じ状態である。そのため、後羽根の３枚の羽根１８〜２０は重畳状態となって開口部１ａの上方位置に格納されている。しかしながら、先羽根だけは、上記の図４に示された状態と同じになっている。このとき、図示していない先羽根用電磁石と後羽根用電磁石には通電されていない。また、モータ２１のコイル２１ｂにも通電されていない。しかしながら、それにもかかわらず、先羽根はこの状態を維持されている。その理由は、上記の図４の状態において、モータ２１のコイル２１ｂに対する通電を断っても、その状態を維持していられる理由と同じである。従って、このようなセット状態においては、通常、光学ファインダによって被写体を観察することになる。
【００４１】
このセット状態において、カメラの電源をオンにしておき、撮影に際してカメラのレリーズボタンを押すと、図示していない先羽根用電磁石と後羽根用電磁石のコイルに通電される。そのため、夫々、先羽根用駆動部材８と後羽根用駆動部材９に取り付けられている図示していない鉄片部材が、鉄芯４，５に吸着保持される。そこで、図示していないカメラ本体側の部材がセット部材１０の被押動部１０ｃから退いていくため、セット部材１０は、図示していない復帰ばねの付勢力によって反時計方向へ回転し、初期位置へ復帰する。その結果、全ての構成部材は、上記の図４の状態と全く同じ状態になる。また、既に説明したように、このとき、先羽根が露光作動を開始する前に、モータ２１のコイル２１ｂに対し、正方向の通電をしておき、アーム１１が反時計方向に付勢されるようにしてもよいが、そのようにしたい場合であっても、省電力化の観点からは、各電磁石に対する通電と同時ではなく、出来るだけ遅らせる方が得策である。
【００４２】
上記のようにして、全ての構成部材が図４に示された状態になると、先ず、先羽根用電磁石に対する通電が断たれ、続いて後羽根用電磁石に対する通電が断たれる。上記のように、モータ２１のコイル２１ｂに正方向の通電をしたい場合は、図８に一点鎖線で示されているように、この先羽根用電磁石に対する通電が断たれる時機に行うのが理想である。しかしながら、そのようにできない場合は、その時機よりも若干前にするのが好ましい。そして、各電磁石に対する通電が断たれると、先羽根のスリット形成羽根１５と後羽根のスリット形成羽根２０によって形成されたスリットにより、撮像素子の撮像面が露光されていくが、その露光作動が開始されてから終了するまでの過程は、全て既に説明した通りである。従って、先羽根の露光作動の最終段階においては、図８に一点鎖線で示されているように、モータ２１のコイル２１ｂに対し逆方向の通電をしてもよい。そして、その露光作動終了直後の状態は、図５に示された通りになり、その状態において、撮像情報が記憶装置に転送され、その直後にはセット作動が開始される。
【００４３】
セット作動は、セット部材１０が、カメラ本体側の部材に押されて時計方向へ回転して行われるが、このとき、モータ２１のコイル２１ｂにも、回転子２１ｄを反時計方向へ回転させるための正方向の通電が行われる。そのため、先ず、セット部材１０が、押動部１０ａによって、先羽根用駆動部材８の被押動部８ａを押し、図示していない先羽根用駆動ばねの付勢力に抗して、先羽根用駆動部材８を反計方向へ回転させると、アーム１１が、駆動ピン８ｂに追従して反時計方向へ回転する。それによって、先羽根の３枚１３〜１５は、隣接する羽根同士の重なりを小さくしつつ上方へ作動していく。
【００４４】
そして、先羽根のスリット形成羽根１５と後羽根のスリット形成羽根２０との重なりが所定量以上になると、セット部材１０は、押動部１０ｂによって、後羽根用駆動部材９の被押動部９ａを押し、図示していない後羽根用駆動ばねの付勢力に抗して、後羽根用駆動部材９を反時計方向へ回転させ始める。そのため、アーム１６は、後羽根用駆動部材９の駆動ピン９ｂによって反時計方向へ回転させられ、後羽根の３枚の羽根１８〜２０は、相互の重なりを大きくしつつ上方へ作動させられる。そして、その後、後羽根の３枚の羽根１８〜２０は重畳状態となって開口部１ａの上方位置に格納され、各駆動部材８，９に取り付けられた図示していない鉄片部材が、夫々鉄芯４，５に接触させられると、図示していないカメラ本体側の部材によるセット部材１０の回転が停止する。その後、モータ２１のコイル２１ｂに対する通電を断つことによって、図７に示されたセット状態に復帰する。
【００４５】
尚、本実施例の場合は、先羽根を撮像素子側の羽根室に配置し、後羽根を撮影レンズ側の羽根室に配置しているが、シャッタによっては、上記の特開平２００２−５５３７９号公報にも記載されているように、先羽根を撮影レンズ側の羽根室に配置する場合がある。そのため、本発明は、そのように構成することを妨げるものではない。
【００４６】
［第２実施例］
第２実施例を図９〜図１２を用いて説明する。そのうち、図９及び図１０は、ノーマリーオープン方式で撮影する場合を説明するためのものであって、図９はセット状態を示した平面図であり、図１０は一連の電気的制御と一つのシャッタ羽根の作動との関係を示したタイミングチャートである。また、図１１及び図１２は、ノーマリークローズ方式で撮影する場合を説明するためのものであって、図１１はセット状態を示した平面図であり、図１２は一連の電気的制御と一つのシャッタ羽根の作動との関係を示したタイミングチャートである。尚、いずれの方式での説明においても、既に使用した図面の一部を引用することがある。
【００４７】
先ず、本実施例の構成を、図９を用いて説明する。本実施例の構成は、実質的に、第１実施例の構成から、後羽根と、それを作動させるために必要な構成部材を取り除いたものとなっている。そのため、一つのシャッタ羽根を備えているだけであって、先羽根，後羽根という概念はない。従って、本実施例の説明に際しては、シャッタ羽根と称することにする。しかし、そのシャッタ羽根の構成そのものは、第１実施例における先羽根の構成と全く同じであるから、符号は、そのまま準用している。
【００４８】
また、本実施例の場合には、第１実施例における中間板６が設けられておらず、シャッタ羽根は、シャッタ地板１と補助地板７の間に配置されている。そして、それらの地板１，７は、後羽根を格納していたスペースが不必要になった分だけ小さくなっている。また、第１実施例における後羽根用駆動部材９が無くなったため、セット部材１０は押動部１０ｂを有しておらず、鉄芯５は備えられていない。その他の構成は、第１実施例の場合と同じであって、同じ符号を付けてある。尚、このようなことから、本実施例の説明においては、第１実施例における先羽根用駆動部材８を駆動部材８と称し、先羽根用駆動ばねを駆動ばねと称し、先羽根用電磁石を電磁石と称することにする。
【００４９】
次に、本実施例の作動を説明するが、第１実施例の作動説明から十分理解することができることについては、重複を避けるために、簡略的に説明することにする。本実施例は、第１実施例の場合と同様に、ノーマリーオープン方式で撮影するように作動させることも、ノーマリークローズ方式で撮影するように作動させることも可能となっている。しかも、本実施例の場合には、その上に、夫々の方式ごとに、二つの異なる作動を行わせることが可能になっている。そこで、先ず、図９及び図１０を用いて、ノーマリーオープン方式で撮影を行う二つの場合について順に説明する。
【００５０】
図９は、ノーマリーオープン方式で撮影する場合のセット状態を示したものである。このとき、セット部材１０は、図示していないカメラ本体側の部材によって、初期位置への復帰を抑止されている。そのため、駆動部材８は、図示していない駆動ばねの付勢力による時計方向の回転を、セット部材１０の押動部１０ａに抑止され、取付部８ｃに取り付けられた図示していない鉄片部材を、電磁石の鉄芯４に接触させている。また、このとき、シャッタ羽根は、第１実施例の作動説明において説明した理由によって、アーム１１が時計方向へ回転するように付勢されており、被押動部１１ａと駆動部材８の駆動ピン８ｂとは接触していない。そのため、シャッタ羽根の３枚の羽根１３〜１５は重畳状態となって開口部１ａの下方位置に格納されている。
【００５１】
そこで、先ず、ノーマリーオープン方式で撮影する場合の第１の作動方法を、図１０を参照しながら説明する。図９に示されたセット状態において、カメラの電源をオンにしておき、モニターで被写体を確認しておいてからレリーズボタンを押すと、撮像素子の撮像面には被写体像が結像されているので、電気的な制御によって直ちに撮影が開始される。従って、この場合には、電磁石のコイルには通電されないし、セット部材１０も図９の状態を維持したままである。そして、所定時間後に撮影終了の信号が出力されると、その信号によって、モータ２１のコイル２１ｂに正方向の通電が行われ、回転子２１ｄによってアーム１１が反時計方向へ回転させられる。従って、３枚の羽根１３〜１５は、隣接する羽根同士の重なりを小さくしつつ上方へ作動し、撮影光路を完全に覆った直後に、アーム１１の被押動部１１ａが駆動部材８の駆動ピン８ｂに当接し、停止させられる。
【００５２】
そして、図１０から分かるように、このとき、モータ２１のコイル２１ｂに供給していた電流が断たれ、他方では、撮像情報が記憶装置に転送される。しかしながら、その転送時間は比較的短いので、その間、モータ２１のコイル２１ｂに対して、電流を供給しつづけているようにしておいても構わない。このようにして、上記の転送が終了すると、モータ２１のコイル２１ｂに対して、これまでとは逆方向の電流が供給され、回転子２１ｄが時計方向へ回転させられる。そのため、アーム１１も時計方向へ回転させられ、３枚の羽根１３〜１５は、隣接する羽根同士の重なりを大きくしながら下方へ作動し、撮影光路を開いていく。そして、シャッタ羽根は、アーム１１が図示していないストッパに当接することによって停止する。そして、モータ２１のコイル２１ｂに対する通電が断たれると、図９に示された状態となる。従って、この作動方法で撮影するようにした場合には、駆動部材８とセット部材１０は全く作動しない。
【００５３】
次に、ノーマリーオープン方式の撮影が行えるもう一つの作動方法を説明する。この場合も、図９に示されている状態がセット状態である。この状態において、被写体像を確認しておいてからカメラのレリーズボタンを押すと、上記の場合とは異なり、先ず、図示していない電磁石のコイルに通電される。そのため、駆動部材８に取り付けられている図示していない鉄片部材が鉄芯４に吸着保持される。その後、セット部材１０が初期位置へ復帰させられると、電気的な制御によって撮影（露光時間）が開始される。尚、本実施例は、第１実施例の場合とは異なり、シャッタ羽根は、露光時間の制御に関与しておらず、スメアの発生防止の目的で設けられているため、上記のように、セット部材１０の初期位置への復帰を待たず、撮影が開始されるようにしてもよい。
【００５４】
そして、所定時間後に撮影終了の信号が出力されると、モータ２１のコイル２１ｂに通電され、回転子２１ｄによってアーム１１が反時計方向へ回転させられる。そのため、３枚の羽根１３〜１５は、隣接する羽根同士の重なりを小さくしつつ上方へ作動し、撮影光路を完全に覆った後、アーム１１の被押動部１１ａが駆動ピン８ｂに当接することによって停止させられる。そして、モータ２１のコイル２１ｂに対する通電が断たれると共に、撮像情報が記憶装置に転送されると、電磁石のコイルに対する通電が断たれ、駆動部材８は、図示していない駆動ばねの付勢力によって時計方向へ急速に回転し、駆動ピン８ｂによって被押動部１１ａを押し、アーム１１を時計方向へ回転させる。そのため、アーム１１も時計方向へ回転させられ、３枚の羽根１３〜１５は、隣接する羽根同士の重なりを大きくしながら下方へ作動し、撮影光路を開いていく。
【００５５】
その後、撮影光路が全開状態になると、駆動部材８は、その駆動ピン８ｂが緩衝部材２に当接して停止し、シャッタ羽根は、アーム１１が図示していないストッパに当接して停止する。従って、このとき、激しいバウンドでシャッタ羽根が破壊されるおそれがあるときには、第１実施例のときに説明したように、停止前からモータ２１のコイル２１ｂに対して通電し、回転子２１ｄに対し、時計方向への回転力を付与しておくと有効である。そして、その後、セット部材１０が、その被押動部１０ｃを図示していないカメラ本体側の部材に押されて時計方向へ回転させられると、押動部１０ａによって駆動部材８の被押動部８ａを押し、図示していない駆動ばねの付勢力に抗して駆動部材８を反時計方向へ回転させる。そして、駆動部材８に取り付けられた図示していない鉄片部材が鉄芯４に接触すると、セット部材１０の回転が停止され、図９に示された状態に復帰する。そして、次の撮影が行われるまでこの状態が維持される。
【００５６】
このことから分かるように、この第２の作動方法によれば、第１の作動方法の場合よりも、シャッタ羽根の開き作動を早くすることができるので、それだけ違和感の少ないモニターでの観察が行えるようになる。また、上記の第１作動方法の場合にも言えることであるが、撮影を続ける意思がなく、カメラの電源をオフにしたときには、モータ２１のコイル２１ｂに正方向の通電をし、回転子２１ｄを反時計方向へ回転させて、３枚の羽根１３〜１５によって撮影光路を閉鎖するようにすると、撮像素子の感度の劣化が防止できる。また、そのようにした場合には、次の撮影に先立って電源がオンになったとき、モータ２１がシャッタ羽根を全開状態にさせる必要があるのは、言うまでもない。更に、モータ２１の回転子２１ｄの回転が速ければ、シャッタ羽根の閉じ作動によって撮影時間が終了するようにしても差し支えない。
【００５７】
次に、図１１及び図１２を用いて、ノーマリークローズ方式で撮影を行う二つの場合について順に説明する。図１１は、ノーマリークローズ方式で撮影する場合のセット状態を示したものである。このとき、駆動部材８とセット部材１０は、図９に示されたノーマルオープン方式の場合と同じ状態にある。しかしながら、シャッタ羽根は、アーム１１の被押動部１１ａが駆動ピン８ｂに接触した状態になっていて、３枚の羽根１３〜１５は展開状態となって被写体光路を閉じている。また、このとき、モータ２１のコイル２１ｂには通電されていないが、それにもかかわらずこの状態が維持されている理由は、第１実施例の作動説明中、図４の状態の説明で述べた通りである。
【００５８】
そこで、先ず、ノーマリークローズ方式で撮影する場合の第１の作動方法を、図１２を参照しながら説明する。図１１に示されたセット状態において、光学ファインダで被写体を確認しておいてからレリーズボタンを押すと、先ず、図示していない電磁石のコイルに通電される。そのため、駆動部材８に取り付けられている図示していない鉄片部材が鉄芯４に吸着保持される。その後、セット部材１０が初期位置へ復帰させられると、電磁石のコイルに対する通電が断たれ、駆動部材８は駆動ばねの付勢力によって時計方向へ急速に回転する。そのため、駆動ピン８ｂによってアーム１１も時計方向へ回転させられ、３枚の羽根１３〜１５は、隣接する羽根同士の重なりを大きくしつつ下方へ作動して撮影光路を開口していく。
【００５９】
その後、撮影光路が全開状態になると、駆動部材８は、その駆動ピン８ｂが緩衝部材２に当接して停止し、シャッタ羽根は、アーム１１が図示していないストッパに当接して停止するが、このとき、激しいバウンドでシャッタ羽根が破壊されるおそれのあるときは、図１２に一点鎖線で示されているように、停止前からモータ２１のコイル２１ｂに対して逆方向の通電をし、回転子２１ｄに対し、時計方向への回転力を付与しておくと有効である。その場合の逆方向の通電開始時機は、図１２に示されているように、シャッタ羽根が撮影光路を全開にしてから停止する直前までの間であってもよいし、撮影光路を全開にする前であっても構わない。そして、全開状態になった後、電気的な制御によって撮影が開始される。撮影が終了すると、その信号によって、図示していないカメラ本体側の部材がセット部材１０の被押動部１０ｃを押して、セット部材１０を時計方向へ回転させる。それによって、セット部材１０が、押動部１０ａによって駆動部材８の被押動部８ａを押し、図示していない駆動ばねの付勢力に抗して駆動部材８を反時計方向へ回転させる。
【００６０】
他方、上記のような駆動部材８の反時計方向の回転と同時又はそれよりも若干早く、モータ２１のコイル２１ｂに対し、回転子２１ｄを反時計方向へ回転させるための正方向の通電が行われる。そのため、アーム１１も、駆動ピン８ｂに被押動部１１ａを接触させたまま反時計方向へ回転させられ、３枚の羽根１３〜１５は、隣接する羽根同士の重なりを小さくしつつ上方へ作動し、撮影光路を閉じていく。そして、駆動部材８に取り付けられた図示していない鉄片部材が鉄芯４に接触すると、セット部材１０の回転が停止され、図１１に示された状態に復帰する。そして、次の撮影が行われるまでこの状態が維持される。
【００６１】
次に、ノーマリークローズ方式の撮影が行える第２の作動方法を説明する。この場合も、図１１に示されている状態がセット状態である。この状態において、被写体像を確認しておいてからカメラのレリーズボタンを押すと、上記の場合のように電磁石のコイルに対しては通電されず、モータ２１のコイル２１ｂに対してだけ、回転子２１ｄを時計方向へ回転させるために逆方向の通電が行われる。そのため、アーム１１が時計方向へ回転させられ、３枚の羽根１３〜１５は、隣接する羽根同士の重なりを大きくしつつ下方へ作動し、撮影光路を開いていく。そして、撮影光路を全開にした後、アーム１１が図示していないストッパに当接して、シャッタ羽根の作動が停止すると、モータ２１のコイル２１ｂに対する通電が断たれ、撮像素子に対する電気的制御によって撮影が開始する。
【００６２】
そして、所定時間後に撮影終了の信号が出力されると、その信号によって、モータ２１のコイル２１ｂに正方向の通電が行われ、回転子２１ｄによってアーム１１が反時計方向へ回転させられる。そのため、３枚の羽根１３〜１５は、隣接する羽根同士の重なりを小さくしつつ上方へ作動し、撮影光路を完全に覆った直後に、アーム１１の被押動部１１ａが駆動部材８の駆動ピン８ｂに当接し、停止させられる。そして、その閉鎖状態において、撮像情報が記憶装置に転送され、図１１のセット状態に復帰する。従って、この作動方法で撮影する場合には、駆動部材８とセット部材１０は全く作動しない。
【００６３】
このように、本実施例は、シャッタ羽根を一つだけ有するフォーカルプレンシャッタである。そして、第１実施例における先羽根と、それを作動させるために必要な部材だけで構成している。そのため、駆動部材８の駆動力は、シャッタ羽根に対して撮影光路を開かせる方向に働いている。しかしながら、本発明は、シャッタ羽根を一つだけ有するフォーカルプレンシャッタを、第１実施例における後羽根と、それを作動させるために必要な部材だけで構成することもできる。そして、そのようにしたい場合には、アーム１１に形成した被押動部１１ａと長孔１１ｂに相当するものをアーム１６に形成し、モータ２１を、アーム１６に連結させ得る位置へ取り付けるように構成すればよい。従って、その場合には、駆動部材９の駆動力は、シャッタ羽根に対して撮影光路を閉じさせる方向へ働くことになる。尚、そのように構成したとき、ノーマリーオープン方式の場合と、ノーマリークローズの場合とにおいて、夫々どのように作動させることが可能であるかは、本実施例の作動説明から容易に理解することができるので、具体的な説明は省略する。
【００６４】
以上のように、上記の各実施例においては、一つのシャッタ羽根が、二つのアームと３枚の羽根とで構成されている場合を説明したが、本発明は、アームの数が三つであっても構わないし、羽根の枚数も３枚に限定されない。デジタルスチルカメラに用いられるフォーカルプレンシャッタの中には、羽根が１枚のものもある。また、上記の各実施例においては、いずれも、アーム１１が、駆動部材８とモータ２１によって作動させられるようになっているが、アーム１１，１２の一方が駆動部材８によって作動させられ、他方がモータ２１によって作動させられるようにしても構わない。更に、デジタルスチルカメラの場合には、シャッタ地板１を撮像素子側にし補助地板７を撮影レンズ側にして、カメラ本体に取り付けることがある。そのため、本発明は、シャッタ地板を撮影レンズ側に配置したものに限定されない。また、上記の各実施例におけるモータは、ムービングマグネット型モータであるが、本発明は、そのような構成のモータに限定されず、ステッピングモータなどを使用しても構わない。
【００６５】
更に、フォーカルプレンシャッタの中には、駆動ばねの付勢力によって回転を開始させられるまで駆動部材を保持している構成として、ダイレクトタイプと言われているものと、係止タイプと言われているものが知られている。上記の各実施例は、いずれも、電磁石が、駆動部材の鉄片部材を直接吸着して保持するダイレクトタイプの場合で説明したが、本発明は、駆動部材を係止部材によって機械的に係止する係止タイプのものにも適用することが可能である。
【００６６】
【発明の効果】
以上のように、本発明によれば、二つのシャッタ羽根を備えたフォーカルプレンシャッタの場合であっても、また、一つのシャッタ羽根を備えたフォーカルプレンシャッタの場合であっても、夫々の構成が同じであるにもかかわらず、ノーマリーオープン方式で作動させることも、ノーマリークローズ方式で作動させることも可能であるから、カメラの開発上からもシャッタの製作上からも好適なものであり、しかも、撮影者が、ノーマリーオープン方式と、ノーマリークローズ方式とを選択して撮影することのできるカメラも開発することが可能となる。
【図面の簡単な説明】
【図１】第１実施例において、ノーマリーオープン方式で撮影する場合のセット状態を示した平面図である。
【図２】図１の背面図である。
【図３】撮影の初期段階で先羽根が、図１の位置から露光作動開始位置へ作動する途中の状態を示した平面図である。
【図４】先羽根が、図３の位置から露光作動開始位置に達した状態を示した平面図である。
【図５】図４の状態から露光作動を開始し、その露光作動が終了した直後の状態を示した平面図である。
【図６】第１実施例においてノーマリーオープン方式で撮影した場合における一連の電気的制御と二つのシャッタ羽根の作動との関係を示したタイミングチャートである。
【図７】第１実施例において、ノーマリークローズ方式で撮影する場合のセット状態を示した平面図である。
【図８】第１実施例においてノーマリークローズ方式で撮影した場合における一連の電気的制御と二つのシャッタ羽根の作動との関係を示したタイミングチャートである。
【図９】第２実施例において、ノーマリーオープン方式で撮影する場合のセット状態を示した平面図である。
【図１０】第２実施例においてノーマリーオープン方式で撮影した場合における一連の電気的制御と二つのシャッタ羽根の作動との関係を示したタイミングチャートである。
【図１１】第２実施例において、ノーマリークローズ方式で撮影する場合のセット状態を示した平面図である。
【図１２】第２実施例においてノーマリークローズ方式で撮影した場合における一連の電気的制御と二つのシャッタ羽根の作動との関係を示したタイミングチャートである。
【符号の説明】
１　　　　　　　　　　　　　シャッタ地板
１ａ，６ａ，７ａ　　　　　　開口部
１ｂ，１ｃ，７ｂ，１１ｂ　　長孔
１ｄ，１ｅ，１ｆ，１ｇ，１ｈ　軸
２，３　　　　　　　　　　　緩衝部材
４，５　　　　　　　　　　　鉄芯
６　　　　　　　　　　　　　中間板
７　　　　　　　　　　　　　補助地板
８　　　　　　　　　　　　　先羽根用駆動部材
８ａ，９ａ，１０ｃ，１１ａ　被押動部
８ｂ，９ｂ　　　　　　　　　駆動ピン
８ｃ，９ｃ　　　　　　　　　取付部
９　　　　　　　　　　　　　後羽根用駆動部材
１０　　　　　　　　　　　　セット部材
１０ａ，１０ｂ　　　　　　　押動部
１１，１２，１６，１７　　　アーム
１３，１４，１５，１８，１９，２０　羽根
２１　　　　　　　　　　　　モータ
２１ａ　　　　　　　　　　　固定子枠
２１ｂ　　　　　　　　　　　コイル
２１ｃ　　　　　　　　　　　ヨーク
２１ｄ　　　　　　　　　　　回転子
２１ｅ，２１ｆ　　　　　　　鉄ピン
２１ｇ　　　　　　　　　　　出力ピン
２２，２３　　　　　　　　　ビス
【図１】
2004061865.tif 000003
【図２】
2004061865.tif 000004
【図３】
2004061865.tif 000005
【図４】
2004061865.tif 000006
【図５】
2004061865.tif 000007
【図６】
2004061865.tif 000008
【図７】
2004061865.tif 000009
【図８】
2004061865.tif 000010
【図９】
2004061865.tif 000011
【図１０】
2004061865.tif 000012
【図１１】
2004061865.tif 000013
【図１２】
2004061865.tif 000014